Podtech/llm-jp-corpus-v4-ja_patent huggingface dataset:
(57)【要約】      （修正有）【課題】極薄、柔軟性があり、容易に取付け可能で簡便な結露、凍結防止、融雪、防曇及びアンテナや受信装置に電磁波障害を与えない効果を奏する透視型発熱体を提供する。【解決手段】発熱体部２と伝熱部１を電気的に隔絶させ、発熱部２は正温度特性を有する発熱体であって一定温度を維持し、伝熱素材１には通電しない構造で、伝熱材１はＣＮＴ素材、電気的絶縁素材等の高伝熱効率の材料を使用して、熱効率を高効率化させ任意の形態、位置を透視化できる解決手段。【選択図】図１
2013222643.tif 000002
【特許請求の範囲】
【請求項１】
伝熱部透明シート３の片面に高伝熱効率の伝熱素材４を透視可能な形状にして系設した伝熱シート１と、発熱部透明シート５の片面に、発熱部電極７と発熱体８及び端子９を系設し、その上面に発熱部カバー透明シート６を貼り合わせた構造の発熱シート２とを貼り合わせた構造の多層フイルム構造で、且つ、発熱シート２に系設された発熱部電極７と発熱体８が伝熱部透明シート３の透視部枠１０の枠内に重ならない構造で貼り合わせた透視型発熱体。
【請求項２】
発熱体８は正温度特性（Positive Temperature Coefficient）を有する事を特徴とする請求項1に記載の透視型発熱体。
【請求項３】
透視可能な伝熱素材４には通電されず、下層の発熱体８によって加熱され透視部枠１０の枠内に伝熱する構造を特徴とする請求項１または２に記載の透視型発熱体。
【請求項４】
伝熱素材４は透視形態であって、ＣＮＴ素材、透明な電気的絶縁材の高伝熱材である事を特徴とする構造、又は、伝熱素材４を系設せずに透視可能な高伝熱材である伝熱部透明シート３を貼り合わせた構造を特徴とする請求項１から３のいずれか記載の透視型発熱体。
【発明の詳細な説明】
【技術分野】
【０００１】
本発明は結露、凍結防止、融雪、防曇を目的とした透視可能な発熱体に関するものである。
【背景技術】
【０００２】
従来の結露、凍結防止、融雪、防曇を目的とした透視可能な発熱体構造は発熱線を耐熱性材料で挟み込み、発熱線に通電して加熱する構造であるため、電熱線の熱膨張、過熱により透視部の反り、歪が発生する場合があった。例えば車両のバックウインドウ等は耐熱ガラスに電熱線溝を加工し電熱線を系設し貼り合わせた構造がある。
【０００３】
窓の曇り止め装置等においては平面ガラス2枚を、間隙を設けて並対密封させ、系設された出入孔より間隙部に暖気を循環させる構造がある。
【０００４】
環境試験装置、計測機器等の透視防曇ガラスには透視部に加熱空気を吹き付ける加熱手段を設けた透視構造がある。
【先行技術文献】
【特許文献】
【０００５】
【特許文献１】特許公開２００６−４９００６
【特許文献２】特許公開２００４−２３７８７６
【特許文献３】特許公開平９−２５３４６４
【発明の概要】
【発明が解決しようとする課題】
【０００６】
以上に述べた従来の構造は特殊なガラス構造や別途加熱装置、循環装置の設置が必要であり、柔軟性に欠け、簡易的に取付ける場合には簡便性において不十分であった。又、透視形態の発熱体に交流電源又は、直流電源によるアンテナ、通信機器等の結露、凍結防止、融雪、防曇の利用時、交流の場合は電磁相互誘導よる電磁波障害の発生、直流電源の場合は、突入電流による電磁波障害を生じることがある。
更に透視形態の面状発熱体（例えばカーボン材、正温度特性材）に通電して発熱する場合は内部湿度によって、当該発熱素材が電気分解により分子が拡散し透明性を劣化させる場合がある。
【０００７】
本発明は、以下に述べる解決手段によって上述の問題を解決しようとするものである。
【課題を解決するための手段】
【０００８】
伝熱部透明シート３の片面に高伝熱効率の伝熱素材４を透視可能な形状にして系設した伝熱シート１と、発熱部透明シート５の片面に、発熱部電極７と発熱体８及び端子９を系設し、その上面に発熱部カバー透明シート６を貼り合わせた構造の発熱シート２を貼り合わせた構造の多層フイルム構造で、且つ、発熱シート２に系設された発熱部電極７と発熱体８が伝熱部透明シート３の透視部枠１０の枠内に重ならない構造で貼り合わせた透視型発熱体構造を特徴とする解決するための手段。
【０００９】
発熱体８は正温度特性を有して一定の温度維持をして加熱する特徴の解決するための手段。
【００１０】
伝熱素材４には通電せず、下層の発熱体８によって加熱される構造を特徴の解決するための手段。
【００１１】
伝熱素材４はＣＮＴ素材又は電気的絶縁の高伝熱材である特徴の解決するための手段。
【発明の効果】
【００１２】
本発明の透視型発熱体は、以上解決するための手段で説明したように構成されているので、極薄、柔軟性があり、安易に取付け可能で簡便な結露、凍結防止、融雪、防曇及びアンテナや受信装置に電磁波障害を与えない効果を奏する。
【図面の簡単な説明】
【００１３】
【図１】本発明の平面の１実施例図。
【図２】図１記載のＡ−Ｂ断面の１実施例図
【図３】発熱シート２の平面図の１実施例図であって発熱部カバー透明シート６の一部剥離図。
【図４】伝熱シート１の平面図の１実施例図
【図５】発熱部電極７の平面図の１実施例図
【発明を実施するための形態】
【００１４】
発熱体８によって加熱された透視状の伝熱素材によって伝熱され、柔軟性があり、平面形状に係わりなく必要な範囲、位置において結露、凍結防止、融雪、防曇を一定の温度で行い、温度制御装置が不要な極薄の透視型発熱体の形態。
【００１５】
以下、本発明の実施の形態を図１〜図５に基づいて説明する。
【実施例１】
【００１６】
図１は本発明の１実施例の完成平面図であって端子９から発熱部電極７を通して通電して発熱体８を加熱し、透視状の伝熱素材によって、透視部枠内１０の部分を結露、凍結防止、融雪、防曇される。
発熱体８は正温度特性（PositiveTemperature Coefficient）材が望ましい。
【００１７】
図２は、本発明の図１のＡ−Ｂ部断面の１実施例の形態である。透視部の伝熱素材４には通電されない構造であるため電磁誘導障害は軽減される。
【００１８】
図３は本発明の発熱シート２平面の１実施例で発熱部カバー透明シート６の形態の１部を図示した。
【００１９】
図４は本発明の伝熱シート平面の１実施例で、伝熱部は透視可能な形態で伝熱効率の優れた材質、例えばＣＮＴ材もしくは透明な電気的絶縁材が望ましい。
【００２０】
図５は、本発明の発熱部電極図平面の１実施例。
【産業上の利用可能性】
【００２１】
透視が必要であって、且つ、結露、凍結防止、融雪、防曇が必要な部分に安易に取付け可能な極薄の透視型発熱体である。産業上の利用可能性を以下列挙する。各種信号、標識、パラボラアンテナ等の凍結防止、融雪。車輛の前後照灯、前後ウインドウの融雪、冷凍庫等の監視窓の結露防止等。
【符号の説明】
【００２２】
１  伝熱シート
２  発熱シート
３  電熱部透明シート
４  伝熱素材
５  発熱部透明シート
６  発熱部カバー透明シート
７  発熱部電極
８  発熱体
９  端子
１０  透視部枠
【図１】
2013222643.tif 000003
【図２】
2013222643.tif 000004
【図３】
2013222643.tif 000005
【図４】
2013222643.tif 000006
【図５】
2013222643.tif 000007
(57)【要約】【課題】  ユーザーの趣向に合わせて、任意に振動板を変更できるスピーカーを実現すること。【解決手段】  本発明ではコイルと振動板を磁石を用いて接続することによって、コイルと振動板が一体化することなく、従来のスピーカーの動作を可能にすることができる。また振動板の四隅に中空のシリンダーを設置する。そして、コイルが取り付けられている土台に振動板のシリンダーの位置に対応する様に、シリンダーの内径を直径とする棒を設置することで、コイルと振動板の接続を安定化させる。【選択図】図１
2013021666.tif 000002
【特許請求の範囲】
【請求項１】
コイルと振動板の接続に磁石を使い、かつ振動板とコイルが設置されている土台との間に、図１で示した▲４▼と▲５▼を組み合わせた機構を有するスピーカー。
【発明の詳細な説明】
【技術分野】
【０００１】  本発明は電気信号を音声に変換するスピーカーに関するものである。
【背景技術】
【０００２】  スピーカーにおいて、振動板は再生する音の特性を決める重要な要素の１つである。この振動板は、電気信号を音声信号に変換するためのコイルと一体になっている。【０００３】  これによって、振動板単体を取り換えることは従来のスピーカーでは不可能であった。
【発明の概要】
【発明が解決しようとしている課題】
【０００４】  ユーザーの趣向に合わせて、任意に振動板を変更できるスピーカーを実現すること。
【課題を解決するための手段】
【０００５】  本発明ではコイルと振動板を磁石を用いて接続することによって、コイルと振動板が一体化することなく、従来のスピーカーの動作を可能にすることができる。また振動板の四隅に中空のシリンダーを設置する。そして、コイルが取り付けられている土台に振動板のシリンダーの位置に対応する様に、シリンダーの内径を直径とする棒を設置することで、コイルと振動板の接続を安定化させる。
【発明の効果】
【０００６】  本発明によって、再生したい音によって振動板を変更したい場合でも、スピーカーごと買い換える必要が無くなるため、経済的である。
【図面の簡単な説明】
【０００７】
【図１】本発明を大三角表示したものである。
【図２】本発明において、コイルと振動板を分離した場合の図。
【符号の説明】
【０００８】▲１▼  電気信号を音声信号に変換するためのコイル。
▲２▼  振動板に取り付けられた磁石。
▲３▼  スプリング。
▲４▼  シリンダーの内径を直径に持つ断面が円形の棒。
▲５▼  中空のシリンダー。
▲６▼  振動板。
▲７▼  １と５を設置するための土台。
【図１】
2013021666.tif 000003
【図２】
2013021666.tif 000004
(57)【要約】      （修正有）【課題】ペット用餌の臭い拡散に拠るゴキブリの誘引と侵入を防止する。【解決手段】餌箱蓋２−３を開く情報にはペットに拠るスイッチ操作またはペットの体重またはRFIDタグまたは鳴き声認識を用いる。ペットの食事信号が一定時間欠如した後に餌外箱２−１の蓋を閉じる。ペットの食事信号としては、食事に拠る音または振動または餌外箱２−１への加重またはペットの体重を用いる。RFIDタグを用いるシステムではRFID信号の欠如も食事の完了と見なし餌箱蓋２−３の閉の信号となる。餌箱蓋２−３の開閉の動力源にはペットの体重または電池または発条バネを用いる。【選択図】図２
2013021955.tif 000002
【特許請求の範囲】
【請求項１】
餌箱蓋の自動開閉により、ペット餌の臭いの飛散を防止し、ゴキブリの家屋内への誘引を防止するペット用餌箱。
【請求項２】
餌箱開閉スイッチをペットに操作させる請求項１のペット用餌箱。
【請求項３】
ペットの食事に拠る音または振動または餌箱への加重の一定時間の欠如を以って蓋を閉める請求項１の餌箱
【請求項４】
動く擬似餌を餌箱開閉スイッチに付けた請求項２ペット用餌箱。
【請求項５】
餌箱蓋を開閉の動力源にペットの体重を用いる請求項１のペット用餌箱。
【発明の詳細な説明】
【技術分野】
【０００１】
ペットの餌のゴキブリ誘引臭の拡散を防止し、ゴキブリの家屋内への進入を防止する。
【背景技術】
【０００２】
誘引臭に拠りゴキブリを捕獲し駆除する方法があるが、誘引臭を持ちながら、殺虫力も捕虫力もないペット用餌がゴキブリの侵入を誘発している。
餌箱の周囲に水などの虫浸入防止機構を持った餌箱の考案はあるが、屋内への誘引には効果がない。（特許文献２）
【先行技術文献】
【特許文献】
【０００３】
【特許文献１】特開２００１−２８９６１
【特許文献２】特開２００１−１２８６２３
【特許文献３】特開２００３−２５５９８４
【発明の概要】
【発明が解決しようとする課題】
【０００４】
ペット用餌に含まれるゴキブリ誘引臭に拠るゴキブリの侵入の防止。
【課題を解決するための手段】
【０００５】
ペット用餌箱に自動的に蓋をし、ゴキブリ誘引臭の拡散を防止する。
【発明の効果】
【０００６】
他にゴキブリ誘引臭の無い屋内へはゴキブリの誘引をなくし、誘引臭に拠るゴキブリ捕獲方法を使う屋内では、その駆除器の効果を増す。
【発明を実施するための形態】
【実施例１】
【０００７】
ペットの体重を機械的リンク機構により餌箱蓋に導き蓋を開閉する方法（図１）は最も簡単に実現できるが、ペットの体重を受ける部分を必要とし、コンパクトな実現ができない。
【実施例２】
【０００８】
猫や猿や鼬など学修能力の高いペットでは、疑似餌を用いた学修に拠る餌箱開閉スイッチが安価にかつコンパクトに実施できる。（図２）
餌箱の開閉は事故保持ソレノイドコイルやモーターに拠る。
食事信号としてはペットの食事に拠る音または振動または餌箱への加重を検出する。
振動または加重を検出する場合は餌箱を弾性体で支持する。
【実施例３】
【０００９】
学修能力の期待できないペットでは、体重認識またはRFIDタグまた鳴き声認識を用いる。
体重認識はペットの肥満対策にも応用できる。
【００１０】
実施例１以外の方法では餌箱蓋を閉じるタイミング信号が必要となる。
この閉信号にはペットの食事に拠る音または振動または餌箱への加重の一定時間の欠如を用いる。
食事に拠る餌箱への加重は餌箱を浮かせる弾性体と電気接点のみで構成でき最も安価と考えられる。
RFIDを用いる場合、RFID信号の欠如も食事終了と見なせる。
【産業上の利用可能性】
【００１１】
本発明は極めてありふれた機械的または電気的仕掛けしか用いておらず、通常の工程で実現できる。
【図面の簡単な説明】
【００１２】
【図１】餌箱の蓋をリンク機構によりペットの体重で開閉する実施例
【図２】ペットに拠るスイッチ操作で餌箱蓋を開き、食事信号の欠如で蓋を閉める実施例
【符号の説明】
【００１３】
１−１    餌箱蓋
１−２    餌箱
１−３    ペットの体重受け
１−４    リンク機構
１−５    バネ
２−１    餌外箱
２−２    餌内箱
２−３    餌箱蓋
２−４    擬似餌の付いた餌箱蓋を開けるスイッチ
２−５    プランジャー
２−６    コントローラー
【図１】
2013021955.tif 000003
【図２】
2013021955.tif 000004
(57)【要約】【課題】本発明は、本体の半分程度の握り手部分を伸縮する事により、一端に電撃のための電極を出し、本体より「音響」「電撃」「光表示」が発生する。以上の構成からなる、「音響」「電撃」「光表示」伸縮式撃退棒を提供する。【解決手段】本発明は、本体約２０センチ（５）の、反対の一端（３）本体の半分程度の握り手部分を伸縮（伸ばす８０センチ）する事により、一端に電撃のための電極を出し、本体より「音響」「電撃」「光表示」を特徴とする。【選択図】図３
2013021937.tif 000002
【特許請求の範囲】
【請求項１】
伸縮部分の握り手、本体を操作することにより「音響」「電撃」「光表示」が発生する機能を設けた装置。
【発明の詳細な説明】
【技術分野】
【０００１】
本発明は、野外行動中「登山、散歩」時に獣、等に、遭遇、襲われた時に「音」「電撃」「光表示」により追払う道具に関するものである。
【背景技術】
【０００２】
従来、野外行動中「登山、散歩」時に獣、等に、遭遇、襲われた時、「笛」「大声」等により、獣等を追払っていた。単独でかつ、コンパクトな効果的な獣、等を追払う道具は存在していなかった。
【先行技術文献】
【特許文献】
【０００３】
【非特許文献】
【０００４】
【発明の概要】
【発明が解決しようとする課題】
【０００５】
従来、野外行動中「登山、散歩」時に獣、等に、遭遇、襲われた時、「何」「どうする」と言った、「緊急事態」に対する、単純かつ、効果的に獣、等を追払う道具は存在していなかった。（例:消火器的な設計思想）本発明は以上のような欠点をなくすために、なされたものである。
【課題を解決するための手段】
【０００６】
本体約２０センチの、反対の一端（３）本体の半分程度の握り手部分を伸縮（伸ばす８０センチ）する行為と、一端に電撃のための電極（４）を出し、本体より「音響」、「電撃」が発生する。本発明は以上の構成からなる、「音響」「電撃」「光表示」伸縮式撃退棒である。
【発明の効果】
【０００７】
本発明の本体は約２０センチのコンパクトな棒状の一端の握り手部分を伸ばす行為と、反対側の一端に電撃のための電極を出し「音」「電撃」「光表示」が発生することにより、獣、等に、遭遇、襲われた時、安全な距離を保ち、獣、等に対して、威嚇し、追払う効果がある。
【図面の簡単な説明】
【０００８】
【図１】本発明の平面図（通常時）
【図２】本発明の側面図（通常時）
【図３】本発明の平面図（伸ばした状態）
【発明を実施するための形態】
【０００９】
以下、本発明を実施するための最良の形態について説明する。 
本体約２５センチ（１）の、反対の一端（２）本体の半分程度の握り手部分を伸縮（伸ばす８０センチ）する事により、「音響」「電撃」「光表示」伸縮式撃退棒本体の電源が「入」となり反対側の一端に電撃のための電極を出し、本体より「音響」「電撃」「光表示」が発生する。「音響」ついては「入」、「切」が可能である。
本発明は、以上のような構造である
これを使用するときは、獣、等に、遭遇、襲われた時、安全な距離を保ち、獣、等に対して、威嚇し、追払う効果がある。本発明は以上の構成からなる、「音響」「電撃」「光表示」伸縮式撃退棒である。
【符号の説明】
【００１０】
１    光表示
２    音響スピーカー、スイッチ
３    伸縮式握り手
４    電極
５    電撃棒本体
【図１】
2013021937.tif 000003
【図２】
2013021937.tif 000004
【図３】
2013021937.tif 000005
(57)【要約】      （修正有）【課題】水量及び楊程（水圧）の力を回転力に変える重要部分で開発の難しい箇所であるタービン部を低コストで製作するために市販されているポンプを使用するようにする。【解決手段】発電効率を向上するために、ポンプ性能のポンプ効率を利用し、ポンプにとって一番抵抗のない水量及び楊程（水圧）で発電を行うことを目的とするものである。タービン部を既製のポンプを用いたため、水量及び楊程に対し色々な種類のタービンが選定できる。【選択図】図１
2013021898.tif 000002
【特許請求の範囲】
【請求項１】
ポンプを使用した小型水力発電装置
【請求項２】
吸込み口手前にて水量を絞り加圧させる装置
【請求項３】
タービン部に既製のポンプを使用するに当たりポンプ効率を鑑み選定する技術
【発明の詳細な説明】
【技術分野】
【０００１】  本発明は、流水の有するエネルギーを電気に変換する小型の水力発電装置に関するものである。
【背景技術】
【０００２】  小型の水力発電装置としては、タービンと、該タービンの回転力を増力する増力機と、該増力機により増力された回転力により発電を行う発電機と、これらを支持する支持台を備えた携帯可能な水力発電装置が提案されている。この提案の水力発電装置では専用のタービンを使用し、設計・製作しなければならないため時間がかかりコスト高になる欠点がある。
【発明が解決しようとする課題】
【０００３】  水力発電装置を低コストに製造するために、タービン部に既製のポンプを利用してタービンとして働かせることを検討した。
【０００４】  タービン部は、水量及び楊程（水圧）の力を回転力に変える重要部分で開発の難しく、コストがかかる箇所である。
【０００５】  そこで、本発明は既製のポンプ利用し、安価なタービン的働きをさせようとするものである。
【課題を解決するための手段】
【０００６】  本発明の小型水力発電装置は、タービン部に既製のポンプ、ポンプの回転力を増幅する増幅機及び発電機を利用する。
【０００７】  楊程（水圧）を作り出すためポンプに入れる水をポンプの手前で絞り、流速を上げ加圧させる。
【０００８】  本発明は発電効率を向上するために、ポンプ性能のポンプ効率を利用し、ポンプにとって一番抵抗のない水量及び楊程（水圧）で発電を行うことを目的とするものである。
【０００９】  増幅器は、平歯車を利用し発電機に一番効率の良い比率を試験によって選定する。
【発明の効果】
【００１０】  請求項１に記載の発明によれば、タービン部に既製のポンプを用いたため、水量及び楊程（水圧）に対し色々な種類のタービンの選定ができ、設計の時間短縮及び安価で小型水力発電装置が供給できる。
【図面の簡単な説明】
【００１１】
【図１】本発明の第１実施形態を示す小型水力発電装置の正面図
【図２】同じく小型水力発電装置の上面図
【発明を実施するための形態】
【００１２】  以下、本発明を具体化した第１実施形態を図面に基づいて説明する。
【００１３】  図１に示すように、▲１▼ポンプ（タービン部）、▲２▼増幅機、▲３▼発電機を組み合わせる。
【００１４】  ２ｍの落差から水量７０ｍ３／Ｈｒの水を▲１▼ポンプ（タービン部）に給水し、タービンを回転、このタービンの回転力を▲２▼増幅機で増幅させ、▲３▼発電機による最大発電量として１２７Ｗを得ることができた。
【図１】
2013021898.tif 000003
【図２】
2013021898.tif 000004
(57)【要約】【課題】Ｌ型フックをネジ込む際，力が不均等にかかり，入り辛く，指が痛くなる欠点があるが，Ｌ型フック回しを工具として使用する事により，指を保護し，真っ直ぐ入り易くする事と，短時間で作業が終了出来るようにする事が出来るＬ型フック回しを提供する。【解決手段】Ｌ型フックをネジ込む際，工具であるＬ型フック回しをセットして力を加える事により，指が痛くならない，曲がらない，作業がスピーディに出来るし，高所作業も短時間に安全に出来るようにすることを特徴とする。【選択図】図１
2013043277.tif 000002
【特許請求の範囲】
【請求項１】
Ｌ型フックを壁に差し込む時に，スムーズに回せるように，図１のようにＬ型フックのＬ部を上から包むように，工具であるＬ型フック回しをかぶせて，Ｔ型にする事により，回す時に力を加えれば，曲がらず指も痛くならない便利で安全なＬ型フック回し。
【発明の詳細な説明】
【技術分野】
【０００１】この発明は，Ｌ型フックを壁にねじ込む際，指を保護すると同時に曲がらずに真っ直ぐ入り易く，且つ作業がしやすいＬ型フック回しに関するものである。
【背景技術】
【０００２】Ｌ型フックを壁に差し込むときは，力を入れると不均等に力が働き大変不便である。
また指が痛くなり，曲がって入り易く大変不便であり，それを解決するために，本発明のＬ型フック回しを工具として開発したが，現在のところ他に  みあたらない。
【発明の開示】
【発明が解決しようとする課題】
【０００３】従来より，壁に物をかける際は，Ｌ型フックを適所にねじ込んでおくと大変便利である。
しかし，特に高所にＬ型フックをねじ込む時は，力が不均等に働き曲がって入る，指が痛い，そのため時間がかかる等の多くの不便があった。高所作業の場合は，無理な姿勢で長時間作業する場合は危険率が高い。
【課題を解決するための手段】
【０００４】課題を解決する手段として本発明は，以下の構成とした。
すなわち，Ｌ型フックをねじ込む時に，Ｌ型フック回しを工具として使用する事により，つかむ所はＴ字型に成るため，従来の課題を解決する事が出来る。形がＴ型になるため力が均等に働き，指が痛い，曲がる，時間がかかる等の課題を解決できる。また，作業が終了したらセットされた工具であるＬ型フック回しを，簡単に引き抜いて外せば良い構造とした。
【発明の効果】
【０００５】本発明は下記の効果を有する。
１・Ｌ型フックを使用する際は，工具であるＬ型フック回しを使用する事により瞬時に使用可能であり簡単であること。
２・工具であるＬ型フック回しは，Ｌ型フックにセットすると，Ｔ字型のため均等に力が働き曲がりにくい。
３・指が痛くなることを保護することが出来る。
４・短時間で作業が終了できる。
【発明を実施するための最良の形態】
【０００６】以下，発明の実施形態について説明する。
図において，図１は，Ｌ型フック回しの使用斜視図であり，Ｌ型フックの欠点は，ねじ込む際に不均等に力がかかり，曲がって入り易い，指が痛くなる等の欠点がある。
しかし，Ｌ型フック回しを工具として使用する事により安全に，作業が早く出来る。
これにより低い位置には何の苦痛もなく作業が出来るが，高所に手を伸ばして作業をする場合は，怪我の防止，まっ直ぐねじ込める等多くの利点がある。
Ｌ型フック回しの素材は，ステンレス，スチール，真鍮，その他の金属，合成樹脂を使用する。図１の様にＬ型フックを，作業が終了したら，工具を取り外す事は簡単である。【０００７】工具であるＬ型フック回しの使用方法について説明する。
図１のＬ型フック回し使用斜視図で示した通り，Ｌ型部分にフック回しを左から右に移動してセットする。
Ｔの字になるようにセットして右回しでねじ込み，終了したらＬ型フック回しを上に引き抜くと終了である。
【図面の簡単な説明】
【０００８】
【図１】本発明のＬ型フック回し使用斜視図
【図２】本発明のＬ型フック回し平面図
【図３】本発明のＬ型フック回し正面図
【図４】本発明のＬ型フック回し右側面図
【図５】本発明のＬ型フック回し左側面図
【図６】本発明のＬ型フック回し底面図
【符号の説明】
【０００９】１  Ｌ型フック回し全体図
２  Ｌ型フックＬ部
３  Ｌ型フックネジ部
【図１】
2013043277.tif 000003
【図２】
2013043277.tif 000004
【図３】
2013043277.tif 000005
【図４】
2013043277.tif 000006
【図５】
2013043277.tif 000007
【図６】
2013043277.tif 000008
(57)【要約】【課題】加工し易く、かつ長期間使用しても芯保持力が低下することなく確実に芯５を保持することができるシャープペンシル用チャック１に適用できる。【解決手段】芯保持部１Ａが２分割され楔作用により芯５を保持するシャープペンシル用チャック１。このチャック１の芯保持部１Ａ内面にピッチの異なる２種類のネジ溝を形成する。更に、ピッチの異なる２種類のネジ溝は、ピッチの小さい第２ネジ溝１Ｃよりピッチの大きい第１ネジ溝１Ｂの方がネジ深さが大きく構成する。【選択図】図１
2013043287.tif 000002
【特許請求の範囲】
【請求項１】
芯保持部が数分割され楔作用により芯を保持するシャープペンシル用チャックであって、芯保持部の内面にピッチの異なる２種類のネジ溝を形成したことを特徴とするシャープペンシル用チャック。
【請求項２】
ピッチの異なる２種類のネジ溝は、ピッチの小さいネジ溝よりピッチの大きいネジ溝の方がネジ深さが大きく構成することを特徴とする請求項１記載のシャープペンシル用チャック。
【請求項３】
チャックの芯保持部を２つに分割し、この芯保持部外面にボールを設け、ボールと締具のテーパー面との楔作用により芯を長手方向前方にはわずかな抵抗で移動できるとともに、長手方向後方には強い力で移動を阻止することを特徴とする請求項１又は２記載のシャープペンシル用チャック。
【発明の詳細な説明】
【技術分野】
【０００１】
本発明は、芯の保持を確実に行うために芯保持部内面にネジ溝を形成したシャープペンシル用チャックに関するものである。
【背景技術】
【０００２】
従来、チャックの芯保持部内面に凹凸部を形成し、かつ該凹凸部の頂部に長手方向に伸びた０．０１から０．０５ｍｍの極小幅の平坦部を形成したシャープペンシル用チャックが知られている。（特許文献１参照）
【０００３】
しかしながら、上記シャープペンシル用チャックのように平坦部の幅を極小にするためには、ピッチの細かいタップで下穴径をタップの谷径に近づけて加工することになるが、タップの切削抵抗が大きくなり、タップが折れたり摩耗してしまい、芯保持部の頂部を平坦でかつ角部を鋭角に形成する為には、頻繁にタップを取り換えなければならず、コスト高になってしまうものであった。
【先行技術文献】
【特許文献】
【０００４】
【特許文献１】特許第３００７４４６号公報
【発明の概要】
【発明が解決しようとする課題】
【０００５】
解決しようとする問題点は、シャープペンシル用チャックの芯保持部の頂部が平坦に形成されず、また、平坦の角部が丸まってしまう点である。
【課題を解決するための手段】
【０００６】
本発明は、芯保持部が数分割され楔作用により芯を保持するシャープペンシル用チャックであって、芯保持部の内面にピッチの異なる２種類のネジ溝を形成したことを最も主要な特徴とする。
【発明の効果】
【０００７】
本発明は、チャックの芯保持部内面にピッチの異なる２種類のネジ溝を形成することにより、それぞれのネジ溝のピッチは細かくしなくても良いので、加工がし易いとともに、１次タップ加工で形成した平坦部を２次タップ加工で更にネジ溝を形成する為、芯保持部の平坦部を極小幅に形成できるとともに頂部に形成した平坦の角部を鋭角に形成でき、長期に渡って確実に芯を保持できる利点が得られるものである。
【図面の簡単な説明】
【０００８】
【図１】図１は、本発明の実施例１のシャープペンシル用チャックを示す主要部拡大断面図である。（実施例１）
【図２】図２は、本発明の実施例１のシャープペンシル用チャックにより芯を保持した状態を示す主要部断面図である。（実施例１）
【発明を実施するための形態】
【０００９】
本発明は、加工し易くかつ長期に渡って使用しても芯保持力が低下することなく確実に芯を保持することができるシャープペンシル用チャックを実現した。
【実施例１】
【００１０】
以下、図１及び図２に基づいて本発明における実施例１のシャープペンシル用チャックを説明する。また、図１の左側を前方とし右側を後方とする。先ず、シャープペンシル用チャック１の芯保持部１Ａ内面を０．１７５ｍｍのピッチでかつ溝深さ０．０７５ｍｍで第１ネジ溝１Ｂを形成するとともに、０．１２５ｍｍのピッチでかつ溝深さ０．０５０ｍｍで第２ネジ溝１Ｃを形成する。この芯保持部１Ａを２分割して構成する。更に、芯保持部１Ａ外面に半球状に凹陥した凹部１Ｄを形成する。このチャック１の凹部１Ｄに金属製のボール２を回動可能に配置する。更に、チャック１の後部外段１Ｅと締具３の内段３Ａとの間に取付時荷重５ｇ〜３０ｇでコイルスプリング４を取り付け、チャック１の凹部１Ｄに配置されたボール２を締具３のテーパー面３Ｂに押圧する。すると、チャック１の芯保持部１Ａは締具３のテーパー面３Ｂとの楔作用により閉じられ芯５を保持する。また、チャック１の芯保持部１Ａにより保持された芯５は、長手方向前方にはわずかな抵抗で移動できるが、長手方向後方には強い力で移動が阻止される。更に、締具３の前部に駒６を圧入固着し、ボール２の外れを防止する。
【００１１】
以上説明したシャープペンシル用チャック１の製造方法としては、先ずチャック１の前部に芯保持部１Ａ内面を形成するために、保持する芯５の外径と略同等の孔をキリにより形成する。その後に第１ネジ溝１Ｂを１次タップ加工でネジ切りを行って形成する。更に、第２ネジ溝１Ｃを２次タップ加工でネジ切りを行って形成する。その後、芯保持部１Ａを含むチャック１の前部及び中間部を前端からカッターでスリ割りし、２分割して構成する。
【００１２】
尚、本発明は、上記実施例１に限定されるものではなく、チャックの芯保持部外面に締具を外嵌し、締具あるいはチャックの芯保持部外面のどちらかにテーパー面を形成し、このテーパー面の楔作用によりチャックの芯保持部を閉じて芯を保持するノック式シャープペンシルに利用しても良い。
【産業上の利用可能性】
【００１３】
加工がし易く、かつ長期間使用しても芯保持力が低下することなく確実に芯を保持することができるシャープペンシル用チャックに適用できる。
【符号の説明】
【００１４】
１    チャック
１Ａ    チャック１の芯保持部
２    ボール
３    締具
３Ｂ    締具３のテーパー面
５    芯
【図１】
2013043287.tif 000003
【図２】
2013043287.tif 000004
(57)【要約】      （修正有）【課題】安価で簡便な金属板の接合方法を提供する。【解決手段】接合すべき2枚の金属板１，２の端面を、予め噛み合わせ可能な形状に加工しておき、2枚の金属板の端面を対向させ、前記金属板を板面に平行に移動させて接合する。【選択図】図１
2013043187.tif 000002
【特許請求の範囲】
【請求項１】
接合すべき2枚の金属板の端面を、予め噛み合わせ可能な形状に加工しておき、前記2枚の金属板の端面を対向させ、前記金属板を板面に平行に移動させて接合することを特徴とする金属板の接合方法。
【請求項２】
予め噛み合わせ可能な形状に加工した部位に、スリットを設けることを特徴とする請求項1に記載の金属板の接合方法。
【発明の詳細な説明】
【技術分野】
【０００１】
本発明は、金属板の接合方法、特に、特別な装置を必要とせず、安価で簡便な金属板の接合方法に関する。
【背景技術】
【０００２】
自動車や家電の部品には、鋼板などの金属板同士を、そのままあるいはプレス加工後接合して製造されるものがある。一般的には、こうした接合は、スポット溶接やシーム溶接などの溶接法、ボルトを用いた締結法、カシメなどのメカニカル接合法で行われるが、溶接法やボルトを用いた締結法は、特別な装置や新たな部品を必要とし、カシメなどのメカニカル接合法に比べてコスト高である。
【０００３】
安価なメカニカル接合法としては、例えば、特許文献1に、接合すべき2枚の金属板の端面に山部と谷部を設け、互いの山部と谷部を噛み合わせた後、山部を板面に垂直な方向から押圧して、山部の周縁部を突出させて谷部と垂直方向に重合させてカシメ構造で行う金属板の接合方法が開示されている。
【先行技術文献】
【特許文献】
【０００４】
【特許文献１】特開2003-80329号公報
【発明の概要】
【発明が解決しようとする課題】
【０００５】
しかしながら、特許文献1に記載の金属板の接合方法では、板面に垂直な方向から押圧して山部の周縁部に突出部を設ける工程が必要であり、必ずしも安価で簡便な金属板の接合方法とはいえない。
【０００６】
本発明は、安価で簡便な金属板の接合方法を提供することを目的とする。
【課題を解決するための手段】
【０００７】
本発明者は、上記の目的を達成すべく鋭意検討を行った結果、金属板の端面を、予め噛み合わせ可能な形状に加工しておき、金属板を板面に平行に移動させて接合することが効果的であることを見出した。
【０００８】
本発明は、このような知見に基づきなされたもので、接合すべき2枚の金属板の端面を、予め噛み合わせ可能な形状に加工しておき、前記2枚の金属板の端面を対向させ、前記金属板を板面に平行に移動させて接合することを特徴とする金属板の接合方法を提供する。
【０００９】
本発明である金属板の接合方法では、予め噛み合わせ可能な形状に加工した部位に、スリットを設けることが好ましい。
【発明の効果】
【００１０】
本発明により、安価で簡便な金属板の接合方法を提供できるようになった。本発明の接合方法では、金属板を板面に平行に移動させるだけでよいので、プレス加工工程内でも接合が可能であり、また、仮止めのような接合を行った後に接合を解くことも容易に行える。
【図面の簡単な説明】
【００１１】
【図１】本発明である金属板の接合方法の一例を模式的に示す図である。
【図２】本発明である金属板の接合方法の一適用例を模式的に示す図である。
【図３】本発明である金属板の接合方法の別の適用例を模式的に示す図である。
【図４】本発明である金属板の接合方法を実施するための金属板端部の噛み合わせ形状の一例を示す図である。
【図５】本発明である金属板の接合方法を実施するための金属板端部の噛み合わせ形状の別の例を示す図である。
【発明を実施するための形態】
【００１２】
図1に、本発明である金属板の接合方法の一例を模式的に示す。接合すべき2枚の金属板として鋼板1、2を用い、鋼板1、2の端面を、(a)に示すように、予め噛み合わせ可能な形状に加工して対向させ、(b)に示すように、鋼板板面に平行に移動させれば、(c)に示すように、鋼板1、2を接合することができる。このとき、鋼板板面に平行に移動させるだけで予め噛み合わせ可能な形状の部位を接合するだけなので、図2に示すような突合せのための簡易な装置による接合や、図3に示すようなプレス加工金型内での接合が可能である。また、接合はメカニカルに行われるため、十分な接合強度が確保されるとともに、接合を解くことも容易に行える。
【００１３】
図4に、本発明である金属板の接合方法を実施するための金属板端部の噛み合わせ形状の別の例を示す。この場合、噛み合わせ部の角度θを変えることで、接合強度を任意にコントロール可能である。また、噛み合わせ先端部の長さaを噛み合わせ根元部の長さb以下に短くしておくと、噛み合わせ部が容易に噛み合うことができてよい。
【００１４】
また、鋼板1、2の端面の形状は、より低荷重で接合可能な形状にすることが好ましいが、それには、図5に示すように、噛み合わせ先端部の長さaが噛み合わせ根元部の長さb以上である場合などにおいて、予め噛み合わせ可能な形状に加工した部位の近傍にスリットを設けることが効果的である。これは、一般的に金属の弾性係数は高いが、スリットを設けることで接合部の剛性を低下できて容易に噛み合わせが可能になるためである。
【図１】
2013043187.tif 000003
【図３】
2013043187.tif 000004
【図２】
2013043187.tif 000005
【図４】
2013043187.tif 000006
【図５】
2013043187.tif 000007
(57)【要約】【課題】  口腔内の治療の方法は、医学の進歩と共に薬の性能は飛躍的に向上しているがその手法は投薬か塗り薬、或いは注射など極めて限定的であり睡眠時などにおける長時間の治療効果を維持させる治療は困難であった。【解決手段】  柔軟性のあるシート状の物で、口内等のケアを目的とし、無理なく口内に挿入出来る形状にする。口内ケアシートはケア本体部、ブリッジ部、誤飲防止部とで形成されて、治療薬や予防性素材を付加するのに適した浸透性素材やメッシュで構成する事が出来る。以上の様な形態で長時間口内ケアシートを口腔内に留め置き、治療効果を維持させるのに適した治療法として解決の手段とした。尚、主に起床後に使用する方法としてブリッジ部、誤飲防止部を省略した形状としても良い。【選択図】図１
2013043074.tif 000002
【特許請求の範囲】
【請求項１】
柔軟性があり口内に無理なく挿入されるシート形状を成し、歯周病や口腔治療や口腔疾患予防に必要な素材で構成され、ケアシート本体にブリッジと口外に誤飲を防止する部分とで連結構成された口内ケアシート。
【請求項２】
連結のブリッジを有することを特徴とする口内ケアシート。
【請求項３】
連結のブリッジを有さないことを特徴とする口内ケアシート。
【発明の詳細な説明】
【技術の分野】
【０００１】  本発明は口内のケアをするための口内治療具である。
【背景の技術】
【０００２】  近年急速な高齢化に伴い、歯周病を初め口内のトラブルも多様化しているが治療の方法はほとんど変化が見られない、その手法は投薬か塗り薬、大きな装置、注射など極めて限定的であった。
なお、主に歯周病治療、予防を目的とした歯茎等口内に貼る絆創膏型治療具をつくる。（特許文献１参照）。
【先行技術文献】
【特許文献】
【０００３】
【特許文献１】特開２００６−１２４３６４号公報
【発明の概要】
【発明が解決しようとする課題】
【０００４】  従来、口腔内治療は、水分も多く貼付薬も難しく夜間の睡眠時など長時間軽便で安全な治療をする方法を課題として取り組んだ。
【課題を解決するための手段】
【０００５】  口内ケアシートは柔軟性があり口内に無理なく挿入されるシート形状を成し、誤飲の防止と治療素材の汎用性を重視した構成による口内ケアシートである。
【発明の効果】
【０００６】就寝時等長時間の口内の治療を行うにあたり、誤飲防止の機能を持った口内ケアシートを口腔内に長時間留め置く事により治療薬や予防素材の投与時間を飛躍的に向上させ、歯周病や口腔内治療のほか睡眠薬など口径投薬を滲出投与し胃に負担の少ない手法としても利用が出来る可能性がある。
【図面の簡単な説明】
【０００７】
【図１】は口内ケアシートの平面図である。
【図２】は口内ケアシートの実施時の形態を示す正面図である。
【図３】は口内ケアシートの実施時の形態を示す立面斜視図である。
【図４】は簡略した口内ケアシート本体の平面図である。
【発明を実施するための形態】
【０００８】    以下、本発明の実施の形態を説明する。
本発明を、図１を基に説明すると、主に口内の歯茎と内唇の間に挿入するケアシート本体（１）は、磁気性、鉱泉、滅菌、除菌等の様々な治療効果を含んだ素材で構成出来るとともに、歯周治療薬や歯垢分解酵素などの口腔内の治療や予防素材を付加し滲出するためのメッシュや浸透性素材での構成が可能である。（２）のケアシート両端部幅は丸みを持たせて、口内のあたりを緩和させる。（３）はブリッジである、（１）の口内のケアシート本体と（４）の口外の誤飲防止部との連結部であるが、ケアシート本体（１）の中央部に一本形での違和感の軽減を図ったブリッジや或いは、唇の厚みによる内外の湾曲の収差を考慮した上、強度や安定感等を重視した複数本でのブリッジ形など考えられるが、今は図１を基に説明をすると、（３）のブリッジはケアシート本体（１）と口外誤飲防止部（４）とを連結しており一方、口外誤飲防止部（４）は粘着シートの貼付部分（５）を設け、装着時に口外下顎付近又は、口外、口角の上部付近から鼻下の付近に粘着させて上下の歯茎に対応し、誤飲を防止する構造とする。（５）は誤飲防止部の粘着シートである。尚、図３で示す立面斜視図の様にケアシート本体（１）とブリッジ（３）と口外誤飲防止部（４）は唇を挟む形状を維持できる素材で構成すればクリップ式として誤飲の防止は可能である。
【０００９】簡略法として、ケアシート本体（１）のブリッジ（３）と誤飲防止部（４）を省略した（６）の口内ケアシートの形状とし、主に起床後に使用する。
【符号の説明】
【００１０】（１）は口内ケアシートの本体である。（２）はケアシート本体の両端部である。（３）はブリッジで口内のケアシート本体と口外の誤飲防止部との連結部である。（４）は誤飲防止部である。（５）は誤飲防止部の粘着シートである。（６）はブリッジと誤飲防止部を省略した口内ケアシートである。
【図１】
2013043074.tif 000003
【図２】
2013043074.tif 000004
【図３】
2013043074.tif 000005
【図４】
2013043074.tif 000006
(57)【要約】【課題】荷物で両手が，一杯で，花束など買い物が出来ない時花束肩掛けベルトを提供する。【解決手段】プラスチックベルト（１）に肩充て曲げ部分（９）設け左右の揺れを押える用にする，上部輪リンク部分（１０）と下部輪リンク部分（１１）で花束を固定させる，折れ筋目（５）部分でプラスチックベルト（１）に押しつけ花束（７）を安定させる。【選択図】図５
2013043073.tif 000002
【特許請求の範囲】
【請求項１】
プラスチックベルト本体上部に，肩充て曲げ部分を設け，紐穴を上下設けたプラスチックベルト。
【請求項２】
プラスチックベルト本体上を，上下出来る輪リンクと一体型の横長取付穴を設け，折れ筋目を入れた花束固定用輪リンク。
【発明の詳細な説明】
【技術分野】
【０００１】本発明は，花束の移動手段として花束を，肩掛けベルトで固定して移動させる事が出来る用に，したものである。
【背景技術】
【０００２】従来は，片手で持つか，買い物カゴに入れたり袋に入れて移動させていた。
【発明の開示】
【発明が解決しようとする課題】
【０００３】（イ）花束を袋に入れて肩に下げても，左右に揺れて持ちづらかった。
（ロ）花束を片手に持つと，片手だけなので，他の買い物時不便が発生した。
（ハ）買い物で両手がいっぱいの時花束は買いずらかった。
【課題を解決するための手段】
【０００４】プラスチックベルト上部と下部に，肩掛け襷掛けの紐穴を設ける。
プラスチックベルトの上部には，肩充てに曲げを設ける。
プラスチックベルト上に，花束を固定する輪のリンクと一体型の装着用の横長穴を設ける。
【発明の効果】
【０００５】花束移動に際して，花束を固定して移動する事で，花束の左右の横揺れを防止出来る。
花束移動に際して，両手を空けて移動出来る。
花束移動に際して肩掛け襷掛けが出来る。
【発明の実施の形態について説明する】
【０００６】（イ）プラスチックベルト（１）に，付いている上部肩充て曲げ部分（９）を設ける，上部と下部に，紐取付用穴（２）を設ける。
（ロ）輪リンク（３）と一体型の横長取付穴（４）を設ける。
プラスチックベルト（１）の下の先端部分から挿入させて，花束（７）の大きさに合わせて上下移動させ固定させる。
（ハ）花束（７）を，輪リンク（３）に固定したら折れ筋目（５）使ってプラスチックベルト（１）に押しつけ，花束（７）を安定させる。
（ニ）プラスチックベルト（１）に，取り付けられた紐（１２）で，肩掛け襷掛けを，行なう。
【図面の簡単な説明】
【０００７】
【図１】  本発明の正面図
【図２】  本発明の平面図
【図３】  本発明の平面図
【図４】  本発明の取付側面図
【図５】  本発明の取付使用図
【符号の説明】
【０００８】１  プラスチックベルト
２  紐取付用穴
３  輪リンク
４  横長取付穴
５  折れ筋目
６  輪のリンクセンター
７  花束
８  人
９  肩充て曲げ部分
１０  上部輪リンク部分
１１  下部輪リンク部分
１２  紐
【図１】
2013043073.tif 000003
【図２】
2013043073.tif 000004
【図３】
2013043073.tif 000005
【図４】
2013043073.tif 000006
【図５】
2013043073.tif 000007
(57)【要約】【課題】トイレットペーパーの交換とトイレットペーパーの引き出しを容易にするトイレットペーパーホルダーを提供する。【解決手段】トイレットペーパーホルダー１の底部面をＲ加工（Ｒ部分２）し、その上にトイレットペーパー４を置くだけにしトイレットペーパー４の交換を容易にする。又、カット部分３の手前に数ｃｍの突出し部分５を作りトイレットペーパー４を通常とは上下逆向きに置く。トイレットペーパー４の先端を引き出し、カット部分３でカットすると突出し部分５の上にトイレットペーパーの先端部分が残るので、次に引き出す際にはその残った部分を摘んで引き出せば、容易に引き出すことが出来る。【選択図】図１
2013043078.tif 000002
【特許請求の範囲】
【請求項１】
カット部分３の手前に数ｃｍの突出し部分５を作ることにより、トイレットペーパー４の先端部を引き出し易くした。
【請求項２】
トイレットペーパーホルダー１の底部にＲ部分２を設け、その上にトイレットペーパー４を置く、尚且つトイレットペーパー４の両端とトイレットペーパーホルダー１の内側面との隙間６を僅かにすることで、トイレットペーパーを引き出した時のスムーズさや安定を増す。
【発明の詳細な説明】
【技術分野】
【０００１】  本発明は、トイレットペーパーの交換を簡単にするためにトイレットペーパーホルダーの下部にＲ加工を施しその上に置くだけにし、又カットする部分には、次の人が引き出し易いように突出し部分を作り、引き出しを容易にするためのものである。
【背景技術】
【０００２】  従来は、簡単にトイレットペーパーを交換したり、次の人がトイレットペーパーを簡単に引き出せるトイレットペーパーが無かった。
【先行技術文献】
【特許文献】
【０００３】
【特許文献１】特開２０１１−１４３２０７号広報
【特許文献２】特開２００４−２７５５３９号広報
【発明の概要】
【発明が解決しようとする課題】
【０００４】  従来、トイレットペーパーを交換する際は、トイレットペーパー本体の中心部にある穴に芯棒などを通して交換していた。又、トイレットペーパーを引き出す際面倒だった。本発明は、この課題を解消するためになされたものである。
【課題を解決するための手段】
【０００５】  トイレットペーパーホルダー１の底部面にＲ部分２を作りトイレットペーパー４をその上に置くだけにして、トイレットペーパーの交換を簡単にする。又、トイレットペーーパー４の両端とトイレットペーパーホルダー１の内側面との隙間６を数ｍｍ程度としトイレットペーパー４を引き出す際のスムーズさや安定を保つ。トイレットペーパー４は通常とは上下逆向きに置き、カット部分３の手前には数ｃｍの突出し部分５を作る。そうすることで、カットしたトイレットペーパー４が突出し部分５の上に残るので次にトイレットペーパー４を引き出す際は、突出し部分５の上に残ったトイレットペーパー４を摘んで引けば簡単に引き出せるようになる。
【発明の効果】
【０００６】  トイレットペーパーをトイレットペーパーホルダーのＲ部分の上に置くだけにして交換を簡単にし、又、トイレットペーパーをカットした際にトイレットペーパーホルダーに突出し部分を作ることにより次の人が引き出し易くなった。
【図面の簡単な説明】
【０００７】
【図１】本発明の断面図である。
【図２】本発明の斜視図である。
【発明を実施するための形態】
【０００８】以下、本発明を実施する為の形態について説明する。
（イ）Ｒ部分２は、樹脂や金属製のような表面が滑らかで滑りやすい材質にする。
（ロ）Ｒ部分２は、トイレットペーパー４の半径より若干大きい半径とする。
（ハ）突出し部分５は、数ｃｍ程度とする。
（ニ）トイレットペーパー４の両端とトイレットペーパーホルダー１の内側面との隙間６を数ｍｍ程度とする。
（ホ）トイレットペーパー４は、Ｒ部分２の上に通常とは上下逆向きに置くだけ。
（ヘ）トイレットペーパーホルダー１の側面板の高さは、Ｒ部分２の底部面からトイレットペーパー４の半径程度あれば良い。
本発明は、以上のような構造である。
【符号の説明】
【０００９】  １  トイレットペーパーホルダー
２  Ｒ部分
３  カット部分
４  トイレットペーパー
５  突出し部分
６  隙間
【図１】
2013043078.tif 000003
【図２】
2013043078.tif 000004
(57)【要約】      （修正有）【課題】余分な油分やドレッシング、しょう油、ソース、タレを摂取しないカロリーオフ皿角度付け板を提供する。【解決手段】水平の板の片側に溝５を設けて、下に折り込めるようにして斜めの角度をつけられる板をスベリにくい素材で作ることを特徴とする、カロリーオフ皿角度付け板。【選択図】図３
2013043076.tif 000002
【特許請求の範囲】
【請求項１】
平らな板に切れ込みを設けて、１８０度曲げることにより、斜めに角度をつけられるように本体を形成したカロリーオフ皿角度付け板。
【請求項２】
スベリにくい素材で本体を形成した、請求項１のカロリーオフ皿角度付け板。
【請求項３】
本体表面に凹凸を設けた、請求項１のカロリーオフ皿角度付け板。
【請求項４】
本体表面に突起物を設けた、請求項１のカロリーオフ皿角度付け板。
【発明の詳細な説明】
【技術分野】
【０００１】本発明は皿を斜めにして余分な油、ドレッシング、しょう油、ソース、タレなどを皿の下側へ集める、カロリーオフ皿角度付け板。
【背景技術】
【０００２】従来、油を使った料理や皿に盛って、ドレッシング、しょう油、ソース、タレを掛けて食べる料理の時に余分な油分まで体内に取り入れていた。
【発明の概要】
【発明が解決しようとする課題】
【０００３】皿に盛った油料理や皿に盛って、ドレッシング、しょう油、ソース、タレを掛けた料理を食べると余分な油分まで体内に取り入れてしまっていた、その理由として皿に盛った料理の油が皿が水平のままでは余分な油分が付着した状態となって油を取り続けることになっていた。
本発明は以上の問題点を解決するためになされたものである。
【課題を解決するための手段】
【０００４】平らな板に切れ込みを設けて、１８０度曲げることにより、斜めに角度をつけられるようにして本体をスベリにくい素材でつくり表面に凹凸や突起物を設ける。
以上の構成よりなる、カロリーオフ皿角度付け板。
【発明の効果】従来余分な油分の摂取をしていた事を皿を斜めにする事が出来る、本発明により、カロリーオフを可能にし、余分な油分を体内に取り入れる事なく、肥満、カロリーの取りすぎ、コレステロールの取りすぎ、成人病などを防ぐことが出来る。
本発明は油料理以外では、本体を水平のままで皿敷き、鍋敷きとしても使える。
本発明の本体を用いる事によって既成の皿に取り付ける事が出来て簡単に余分な油分等を分離する事が出来るので成人病や油分の摂取を規制出来る。
【図面の簡単な説明】
【０００６】
【図１】本発明の斜視図
【図２】本発明の斜視図
【図３】本発明の斜視図
【図４】本発明の使用状態を示す側面図
【発明を実施するための形態】
【０００７】  以下、本発明の実施形態を説明する。
（イ）水平の板、本体（１）に曲げて角度をつけられる為の溝（５）を設けた本体（１）。
（ロ）本体（１）は皿（２）をのせてもスベリにくい素材。
（ハ）スベリ止めの凹凸を設けてもよい。
（ニ）曲げる為の溝（５）を何度も曲げたり伸ばしたりするので耐久性のある素材が良い。
（ホ）スベリにくい耐久性がある素材としてシリコン素材が適している。
（ヘ）シリコン素材なら高温の物を置いても大丈夫、鍋や料理をしたフライパンも、そのままのせて使用できる。
本発明は以上のような構造である。
本発明を使用する時は、油料理以外の場合は普通の皿敷きや鍋敷きとして使用出来る、油分の多い料理や皿に盛ってドレッシング、しょう油、ソース、タレを掛けて食べる時は、曲げる為の溝（５）を本体（１）の下へ折り込み、本体（１）に角度をつける、料理を盛った皿（２）を角度のついた本体（１）の上に乗せる事で油分を皿の下方向へ集める事が出来る、それにより反対側の皿が高くなった所から食べれば余分な油分を摂取する事を防げる。
【符号の説明】
【０００８】１本体、  ２皿、  ３スベリ止めの凹凸、  ４角度、  ５曲げる為の溝
【図１】
2013043076.tif 000003
【図２】
2013043076.tif 000004
【図３】
2013043076.tif 000005
【図４】
2013043076.tif 000006